(57)【要約】【課題】換気部の大きさに関わらず取り付けることができるフィルタ装置を提供する。【解決手段】フィルタ装置１は、室内の壁面に形成される換気部に取り付けられるフィルタ装置１であって、換気部側に固定可能なベース部材と、ベース部材と連結されることによって、換気部を覆うカバー部材と、ベース部材に対する、カバー部材の厚さ方向における位置を複数段階に調節可能な調節機構と、を備える。【選択図】図１
2015083904.tif 000002
【特許請求の範囲】
【請求項１】
室内の壁面に形成される換気部に取り付けられるフィルタ装置であって、
前記換気部側に固定可能なベース部材と、
前記ベース部材と連結されることによって、前記換気部を覆うカバー部材と、
前記ベース部材に対する、前記カバー部材の厚さ方向における位置を複数段階に調節可能な調節機構と、を備えるフィルタ装置。
【請求項２】
前記ベース部材及びカバー部材の少なくとも一方は、水平方向において互いに対向する一対の側壁部を備え、
前記調節機構は、
前記ベース部材及び前記カバー部材の他方に形成され、前記側壁部へ向かってそれぞれ突出する一対の突出部と、
それぞれの前記側壁部に形成され、前記突出部を受容する一対の受容部と、
前記受容部において前記厚さ方向の複数箇所に形成され、当該受容部における前記突出部の前記厚さ方向への移動を規制する規制部と、を備える、請求項１に記載のフィルタ装置。
【請求項３】
前記規制部は、前記受容部に形成された溝部である、請求項２に記載のフィルタ装置。
【請求項４】
前記ベース部材は、矩形状に構成されて四方の辺部を備え、
前記四方の辺部のうち、少なくとも互いに隣接する一対の辺部には、前記換気部に固定するための固定代がそれぞれ形成されている、請求項１〜３のいずれか一項に記載のフィルタ装置。
【発明の詳細な説明】
【技術分野】
【０００１】
本発明は、フィルタ装置に関する。
【背景技術】
【０００２】
室内の壁面に形成される換気部に取り付けられるフィルタ装置として様々な構造が提案されている。例えば、特許文献１に記載のフィルタ装置では、一端が壁面と換気部のフランジ部との間に存在する隙間に差し込まれて保持される支持プレートと、フィルタを含む装置本体とを有している。この装置本体は、支持プレートを介して換気レジスターを覆い隠すように取り付けられる。
【先行技術文献】
【特許文献】
【０００３】
【特許文献１】特開２００９−７４７０７号公報
【発明の概要】
【発明が解決しようとする課題】
【０００４】
ここで、上述のフィルタ装置においては、壁面に設けられる換気部の大きさに対応したものを取り付ける必要がある。換気部の大きさは建物によって様々であるため、フィルタ装置もそれに合わせたサイズバリエーションを用意しなければならない。従って、あらゆる大きさの換気部に対応できるフィルタ装置が要請されている。
【課題を解決するための手段】
【０００５】
本発明の一形態に係るフィルタ装置は、室内の壁面に形成される換気部に取り付けられるフィルタ装置であって、換気部側に固定可能なベース部材と、ベース部材と連結されることによって、換気部を覆うカバー部材と、ベース部材に対する、カバー部材の厚さ方向における位置を複数段階に調節可能な調節機構と、を備える。
【０００６】
このような形態によれば、ベース部材が換気部側に固定されて、当該ベース部材と連結されることによってカバー部材で換気部を覆うことができる。このようなフィルタ装置において、調節機構は、ベース部材に対する、カバー部材の厚さ方向における位置を複数段階に調節可能である。従って、換気部の大きさに合わせ、調節機構によってカバー部材の位置を調節することができる。これによって、換気部の大きさに関わらずフィルタ装置を取り付けることができる。
【０００７】
別の形態に係るフィルタ装置において、ベース部材及びカバー部材の少なくとも一方は、水平方向において互いに対向する一対の側壁部を備え、調節機構は、ベース部材及びカバー部材の他方に形成され、側壁部へ向かってそれぞれ突出する一対の突出部と、それぞれの側壁部に形成され、突出部を受容する一対の受容部と、受容部において厚さ方向の複数箇所に形成され、当該受容部における突出部の厚さ方向への移動を規制する規制部と、を備えてよい。
【０００８】
別の形態に係るフィルタ装置において、規制部は、受容部に形成された溝部であってよい。
【０００９】
別の形態に係るフィルタ装置において、ベース部材は、矩形状に構成されて四方の辺部を備え、四方の辺部のうち、少なくとも互いに隣接する一対の辺部には、換気部に固定するための固定代がそれぞれ形成されていてよい。
【発明の効果】
【００１０】
本発明によれば、換気部の大きさに関わらずフィルタ装置を取り付けることができる。
【図面の簡単な説明】
【００１１】
【図１】実施形態に係るフィルタ装置の分解斜視図である。
【図２】実施形態に係るフィルタ装置の斜視図である。
【図３】実施形態に係るフィルタ装置の斜視図である。
【図４】図１に示すベース部材の斜視図である。
【図５】図１に示すカバー部材の斜視図である。
【図６】調節機構の拡大図である。
【図７】フィルタ装置の固定方法を説明するための模式図である。
【図８】変形例に係る調節機構を示す図である。
【発明を実施するための形態】
【００１２】
以下、添付図面を参照しながら本発明の実施形態を詳細に説明する。なお、図面の説明において、同一又は同等の要素には同一の符号を付し、重複する説明を省略する。
【００１３】
まず、図１〜図５を参照して、本実施形態に係るフィルタ装置１の構成について説明する。図１〜図５に示すように、フィルタ装置１は、室内の壁面Ｗに形成される換気部５０に取り付けられる装置である。フィルタ装置１は、フィルタＦを保持した状態で換気部５０を覆うように取り付けられることで、換気部５０と室内との間にフィルタＦを配置することが可能である。なお、ここで、「換気」とは屋外からの空気を屋内へ取り込む「給気」と、屋内の空気を屋外へ排出する「排気」の両方の意味を含む語である。本明細書における「換気部」は、給気と排気の少なくとも一方の機能を有していればよく、本実施形態における換気部５０は、給気の機能を前提として構成されているものとして説明する。また、本実施形態においては、換気部５０として、矩形状の換気部を例示している。また、この換気部５０は、壁面Ｗを貫通する換気孔を取り囲むように壁面Ｗに固定された矩形状のフレーム部５１と、フレーム部５１の開口部を覆うように設けられたプッシュ式の矩形状の蓋部５２と、を備えている。この換気部５０においては、蓋部５２は、使用者がプッシュすることによって、フレーム部５１の開口部との間の距離を段階的に変更することが可能である。これにより、換気部５０は、室内への給気量を変更することができる。
【００１４】
フィルタ装置１は、換気部５０側に固定可能なベース部材２と、ベース部材２と連結されることによって、換気部５０を覆うカバー部材３と、ベース部材２に対する、カバー部材３の厚さ方向Ｄ３における位置を複数段階に調節可能な調節機構４と、を備えている。また、ベース部材２とカバー部材３との間にはフィルタＦが配置される。フィルタＦは、ベース部材２とカバー部材３との間に配置されることで、換気部５０を覆うようにカバー部材３の内面側に保持される。これによって、フィルタＦは、換気部５０から室内に給気された空気中に含まれる排気ガスや花粉等の微小な粒子を除去することができる。なお、以下の説明においては、壁面Ｗに沿った水平方向を「幅方向Ｄ１」と称し、鉛直方向を「上下方向Ｄ２」と称し、壁面Ｗと直交する方向を「厚さ方向Ｄ３」と称する。また、室内から壁面Ｗを見たときにおける手前側を「前」とし、壁面Ｗ側を「後」として前後の語を用いるものとする。また、フィルタ装置１の各構成要素の説明においては、フィルタ装置１を換気部５０に取り付けた状態における姿勢を基準とする。
【００１５】
図４に示すように、ベース部材２は、矩形状の枠体として構成されており、四方の辺部１０Ａ，１０Ｂ，１０Ｃ，１０Ｄを備えている。ベース部材２の各辺部１０Ａ，１０Ｂ，１０Ｃ，１０Ｄは、各辺に沿って延びると共に厚さ方向Ｄ３に広がる側壁部１１Ａ，１１Ｂ，１１Ｃ，１１Ｄと、側壁部１１Ａ，１１Ｂ，１１Ｃ，１１Ｄの後縁部１１ａ（図４参照）から外周側へ向って広がると共に当該後縁部１１ａに沿って延びるフランジ部１２Ａ，１２Ｂ，１２Ｃ，１２Ｄと、を備えている。なお、各辺部１０Ａ，１０Ｂ，１０Ｃ，１０Ｄに取り囲まれる部分を貫通領域Ｅ１と称する。取付時においては、当該貫通領域Ｅ１に換気部５０が配置される。
【００１６】
具体的には、ベース部材２は、幅方向Ｄ１（水平方向）において互いに平行に対向するように上下方向Ｄ２に延びる側壁部１１Ａ及び側壁部１１Ｂを備えており、上下方向Ｄ２（鉛直方向）において互いに平行に対向するように幅方向Ｄ１に延びる側壁部１１Ｃ及び側壁部１１Ｄを備えている。ベース部材２の四隅においては、互いに隣接する側壁部１１Ａと側壁部１１Ｃが連結され、互いに隣接する側壁部１１Ｃと側壁部１１Ｂとが連結され、互いに隣接する側壁部１１Ｂと側壁部１１Ｄとが連結され、互いに隣接する側壁部１１Ｄと側壁部１１Ａとが連結される。本実施形態では、各側壁部１１Ａ，１１Ｂ，１１Ｃ，１１Ｄの後縁部１１ａは、厚さ方向Ｄ３において同位置に配置されている。従って、各側壁部１１Ａ，１１Ｂ，１１Ｃ，１１Ｄの後縁部１１ａから外周側に広がるフランジ部１２Ａ，１２Ｂ，１２Ｃ，１２Ｄは、互いに同一平面を形成するように設けられる。また、各側壁部１１Ａ，１１Ｂ，１１Ｃ，１１Ｄの前縁部１１ｂは、厚さ方向Ｄ３において同位置に配置されているが、異なる位置に配置されてもよい。幅方向Ｄ１に対向する側壁部１１Ａ，１１Ｂの上端部１１ｃ側には、他の部分における前縁部１１ｂよりも前方へ延びる矩形状の拡大部１４Ａ，１４Ｂが形成され、下端部１１ｄ側には、他の部分における前縁部１１ｂよりも前方へ延びる矩形状の拡大部１６Ａ，１６Ｂが形成される。各拡大部１４Ａ，１４Ｂ，１６Ａ，１６Ｂの前縁部１４ａ，１６ａは、厚さ方向Ｄ３において同位置に配置されている。また、各側壁部１１Ａ，１１Ｂ，１１Ｃ，１１Ｄの中央位置には、前縁部１１ｂ付近の外周面側の一部の領域に溝が設けられるように切欠部１７が形成される。ここで、側壁部１１Ａ，１１Ｂ，１１Ｃ，１１Ｄは、換気部５０に固定するための固定代１３としても機能する（詳細については後述する）。
【００１７】
図１〜図３及び図５に示すように、カバー部材３は、矩形状の蓋体として構成されており、幅方向Ｄ１及び上下方向Ｄ２に広がる矩形状の前壁部２１と、前壁部２１の四方の縁部から後方へ向かって広がると共に、当該四方の縁部に沿って延びる側壁部２２Ａ，２２Ｂ，２２Ｃ，２２Ｄと、を備える。具体的には、カバー部材３は、幅方向Ｄ１（水平方向）において互いに平行に対向するように上下方向Ｄ２に延びる側壁部２２Ａ及び側壁部２２Ｂを備えており、上下方向Ｄ２（鉛直方向）において互いに平行に対向するように幅方向Ｄ１に延びる側壁部２２Ｃ及び側壁部２２Ｄを備えている。カバー部材３の四隅（前壁部２１の四隅）においては、互いに隣接する側壁部２２Ａと側壁部２２Ｃが連結され、互いに隣接する側壁部２２Ｃと側壁部２２Ｂとが連結され、互いに隣接する側壁部２２Ｂと側壁部２２Ｄとが連結され、互いに隣接する側壁部２２Ｄと側壁部２２Ａとが連結される。本実施形態では、各側壁部２２Ａ，２２Ｂ，２２Ｃ，２２Ｄの後縁部２２ａは、厚さ方向Ｄ３において同位置に配置されている。なお、各側壁部２２Ａ，２２Ｂ，２２Ｃ，２２Ｄの中央位置では、内周面から突出する爪部２６が形成されている（図５参照）。また、前壁部２１には空気を通過させるための貫通孔２３が形成されており、側壁部２２Ａ，２２Ｂ，２２Ｃ，２２Ｄには空気を通過させるための貫通孔２４が形成されている。なお、本実施形態では、前壁部２１の中央位置付近に長円状の貫通孔２３が複数複数列で複数段形成されているが、貫通孔２３の形状や個数や配置は特に限定されるものではなく適宜変更してよい。また、側壁部２２Ａ，２２Ｂ，２２Ｃ，２２Ｄには長さ方向に沿って一対の長円状の貫通孔２４が形成されているが、貫通孔２３の形状や個数や配置は特に限定されるものではなく適宜変更してよい。
【００１８】
カバー部材３をベース部材２に連結させた状態において、前壁部２１は、ベース部材２の側壁部１１Ａ，１１Ｂ，１１Ｃ，１１Ｄの拡大部１４Ａ，１４Ｂ，１６Ａ，１６Ｂの前縁部１４ａ，１６ａの前方において、ベース部材２の貫通領域Ｅ１を覆うように配置される。また、カバー部材３の側壁部２２Ａ，２２Ｂ，２２Ｃ，２２Ｄは、ベース部材２の側壁部１１Ａ，１１Ｂ，１１Ｃ，１１Ｄと外周側において対向するように配置される。カバー部材３の側壁部２２Ａ，２２Ｂ，２２Ｃ，２２Ｄとベース部材２の側壁部１１Ａ，１１Ｂ，１１Ｃ，１１Ｄとの間には、フィルタＦを配置するための隙間が形成される。フィルタＦをカバー部材３とベース部材２との間に配置したとき、フィルタＦは、ベース部材２の側壁部１１Ａ，１１Ｂ，１１Ｃ，１１Ｄの拡大部１４Ａ，１４Ｂ，１６Ａ，１６Ｂの前縁部１４ａ，１６ａの前方において、前壁部２１の後面に沿って広がる。また、フィルタＦの四方の縁部付近の部分は、カバー部材３の側壁部２２Ａ，２２Ｂ，２２Ｃ，２２Ｄに沿って、後方へ折り曲げられ、カバー部材３の側壁部２２Ａ，２２Ｂ，２２Ｃ，２２Ｄとベース部材２の側壁部１１Ａ，１１Ｂ，１１Ｃ，１１Ｄとの間で挟まれるように配置される。なお、フィルタＦの四方の縁部付近を折り曲げ易いようにフィルタＦの四隅の角部は切り欠かれており、フィルタＦの四方の縁部の各中央部には、各辺に対して平行をなすようにスリットＳＬが形成されている（図１参照）。従って、フィルタＦをカバー部材３内へ押し込むと共にスリットＳＬに爪部２６を引っ掛けることによって、フィルタＦをカバー部材３で保持することが可能となる。これによって、換気部５０から給気された空気は、カバー部材３の貫通孔２３，２４からフィルタＦを介して室内へ供給される。このとき、空気に含まれる微粒子はフィルタＦで除去される。
【００１９】
次に、調節機構４の構成について詳細に説明する。調節機構４は、フィルタ装置１の厚さ方向Ｄ３の大きさ、すなわちベース部材２に対する、カバー部材３の厚さ方向Ｄ３における位置を複数段階に調節可能な機構である。本実施形態では、調節機構４は、カバー部材３の位置を二段階で調節可能に構成されているが、調節可能な段階数は特に限定されず、三段階以上調節可能であってもよい。図４及び図５に示すように、調節機構４は、カバー部材３の側壁部２２Ａ，２２Ｂに形成され、ベース部材２の側壁部１１Ａ，１１Ｂへ向かってそれぞれ突出する突出部３１Ａ，３１Ｂ，３２Ａ，３２Ｂと、ベース部材２のそれぞれの側壁部１１Ａ，１１Ｂに形成され、突出部３１Ａ，３１Ｂ，３２Ａ，３２Ｂを受容することによってカバー部材３を支持する受容部３３Ａ，３３Ｂ，３４Ａ，３４Ｂと、受容部３３Ａ，３３Ｂ，３４Ａ，３４Ｂにおいて厚さ方向Ｄ３の複数箇所に形成され、当該受容部３３Ａ，３３Ｂ，３４Ａ，３４Ｂにおける突出部３１Ａ，３１Ｂ，３２Ａ，３２Ｂの厚さ方向Ｄ３への移動を規制する規制部３６と、を備える。なお、突出部３１Ａ，３１Ｂ、受容部３３Ａ，３３Ｂ、及び規制部３６は、フィルタ装置１の上端側に設けられる調節機構４の構成要素であり、突出部３２Ａ，３２Ｂ、受容部３４Ａ，３４Ｂ、及び規制部３６は、フィルタ装置１の下端側に設けられる調節機構４の構成要素である。
【００２０】
具体的には、図５に示すように、突出部３１Ａ，３１Ｂは、カバー部材３の側壁部２２Ａ，２２Ｂの上端側の位置において、当該側壁部２２Ａ，２２Ｂの内周面から幅方向Ｄ１における内側へ向かって突出する。ベース部材２の側壁部１１Ａ，１１Ｂは、カバー部材３の側壁部２２Ａ，２２Ｂと幅方向Ｄ１における内側で対向しているため、突出部３１Ａ，３１Ｂは、ベース部材２の側壁部１１Ａ，１１Ｂへ向かって突出する構成となる。また、突出部３１Ａ，３１Ｂは、側壁部２２Ａ，２２Ｂにおける後縁部２２ａ寄りの位置に形成されている。本実施形態では、突出部３１Ａ，３１Ｂは、円柱状に形成されているが、受容部３３Ａ，３３Ｂで受容可能である限りどのような形状を採用してもよく、半円柱状、多角形柱状、板状などであってもよい。突出部３２Ａ，３２Ｂは、カバー部材３の側壁部２２Ａ，２２Ｂの下端側の位置において、当該側壁部２２Ａ，２２Ｂの内周面から幅方向Ｄ１における内側へ向かって突出する。突出部３２Ａ，３２Ｂのその他の構成については、突出部３１Ａ，３１Ｂと同様である。
【００２１】
図４及び図６に示すように、本実施形態において、受容部３３Ａ，３３Ｂは、ベース部材２の側壁部１１Ａ，１１Ｂの上端側の拡大部１４Ａ，１４Ｂに形成されている。受容部３３Ａ，３３Ｂは、幅方向Ｄ１に突出する突出部３１Ａ，３１Ｂと上下方向において対向するように形成されている部分である。本実施形態では、受容部３３Ａ，３３Ｂは、突出部３１Ａ，３１Ｂに対して下方に対向するように設けられており、当該突出部３１Ａ，３１Ｂを載置することによってカバー部材３を支持することができる。受容部３３Ａ，３３Ｂは、カバー部材３を支持する際に突出部３１Ａ，３１Ｂと当接する当接面３３ａを有している。また、受容部３３Ａ，３３Ｂは、厚さ方向Ｄ３における所定範囲に設けられており、本実施形態では、拡大部１４Ａ，１４Ｂの後縁部から前縁部１４ａに至る領域に設けている。ただし、調節機構４での調節に必要な分だけ突出部３１Ａ，３１Ｂの移動を許容できる範囲に設けられていればよい。本実施形態では、受容部３３Ａ，３３Ｂは、側壁部１１Ａ，１１Ｂの拡大部１４Ａ，１４Ｂに段差を設けることによって構成されている。なお、受容部３３Ａ，３３Ｂを構成する段差は、拡大部１４Ａ，１４Ｂの上縁部側の領域ＴＥ１（図６参照）を、内側へ窪ませて薄肉とすることによって形成されている。ただし、当該段差は、拡大部１４Ａ，１４Ｂの下縁部側の領域ＴＥ２（図６参照）を外側へ突出させることで形成してもよい。あるいは、拡大部１４Ａ，１４Ｂの上縁部側の領域ＴＥ１の一部又は全部を貫通させることによって、受容部３３Ａ，３３Ｂを形成してもよい。
【００２２】
規制部３６は、カバー部材３がベース部材２に連結されている状態において、突出部３１Ａ，３１Ｂの受容部３３Ａ，３３Ｂに対する厚さ方向Ｄ３における相対的な移動を、前方及び後方の少なくとも一方側において規制する。本実施形態では、規制部３６は、突出部３１Ａ，３１Ｂの厚さ方向Ｄ３における移動を、前方及び後方の両方において規制することが可能である。規制部３６は、受容部３３Ａ，３３Ｂに形成された溝部３８によって構成されている。本実施形態に係る調節機構４では二段階の調節が可能であるため、受容部３３Ａ，３３Ｂには厚さ方向Ｄ３において二カ所に溝部３８が形成されている。溝部３８は、幅方向Ｄ１から見て、矩形状に構成されており、前述の当接面３３ａとして機能する底面３８ａと、前方への移動を規制する側面３８ｂと、後方への移動を規制する側面３８ｃと、を備えている。なお、側面３８ｂと側面３８ｃとの間の寸法は、突出部３２Ａ，３２Ｂの厚さ方向Ｄ３の移動を完全に規制することができる寸法（突出部３１Ａ，３１Ｂの径と同一寸法）に設定されてもよく、多少のがたつきを許容できる寸法に設定されてもよい。
【００２３】
受容部３４Ａ，３４Ｂは、ベース部材２の側壁部１１Ａ，１１Ｂの下端側の拡大部１６Ａ，１６Ｂに形成されている。受容部３４Ａ，３４Ｂのその他の構成については、受容部３３Ａ，３３Ｂと同様である。受容部３４Ａ，３４Ｂは、厚さ方向Ｄ３における複数カ所に規制部３６を有している。また、規制部３６は、受容部３４Ａ，３４Ｂに形成された溝部３８によって構成されている。
【００２４】
上述のような構成に係る調節機構４を用いて、カバー部材３の厚さ方向Ｄ３における位置の調節方法について、図２、図３及び図６を参照して説明する。まず、換気部５０に固定されたベース部材２に対してカバー部材３を取り付ける。このとき、図２に示すようにフィルタ装置１の厚さを薄くする場合、図６（ａ）に示すように、カバー部材３の突出部３１Ｂは、ベース部材２の受容部３３Ｂの後段の溝部３８内に配置されると共に、カバー部材３の突出部３２Ｂは、ベース部材２の受容部３４Ｂの後段の溝部３８内に配置される。なお、図示されないが、突出部３１Ａは受容部３３Ａの後段の溝部３８内に配置され、突出部３２Ａは受容部３４Ａの後段の溝部３８内に配置される。図２の状態では、カバー部材３の各側壁部２２Ａ，２２Ｂ，２２Ｃ，２２Ｄの後縁部とベース部材２のフランジ部１２Ａ，１２Ｂ，１２Ｃ，１２Ｄとの間に隙間が略設けられない程度に、カバー部材３がベース部材２に近づく。これによって、フィルタ装置１全体の厚さが薄くなる。一方、図３に示すようにフィルタ装置１の厚さを厚くする場合、図６（ｂ）に示すように、カバー部材３の突出部３１Ｂは、ベース部材２の受容部３３Ｂの前段の溝部３８内に配置されると共に、カバー部材３の突出部３２Ｂは、ベース部材２の受容部３４Ｂの前段の溝部３８内に配置される。なお、図示されないが、突出部３１Ａは受容部３３Ａの前段の溝部３８内に配置され、突出部３２Ａは受容部３４Ａの前段の溝部３８内に配置される。図３の状態では、カバー部材３の各側壁部２２Ａ，２２Ｂ，２２Ｃ，２２Ｄの後縁部とベース部材２のフランジ部１２Ａ，１２Ｂ，１２Ｃ，１２Ｄとの間に隙間が設けられ、図２の状態に比してカバー部材３がベース部材２から離間した状態となる。これによって、フィルタ装置１全体の厚さが厚くなる。
【００２５】
次に、図７を参照して、換気部５０に対するフィルタ装置１の取り付け方法について説明する。ベース部材２は、換気部５０よりも大きな外形を有している。従って、厚さ方向Ｄ３から見たときに、ベース部材２は、換気部５０の周りを囲むように配置することが可能である。ベース部材２は、四方の辺部１０Ａ，１０Ｂ，１０Ｃ、１０Ｄのうち、少なくとも互いに隣接する一対の辺部１０Ａ，１０Ｃを、換気部５０のフレーム部５１の四方の縁部５１Ａ，５１Ｂ，５１Ｃ，５１Ｄのうち、少なくとも互いに隣接する一対の縁部５１Ａ，５１Ｃに接合させる。ここで、ベース部材２は、互いに隣接する一対の辺部１０Ａ，１０Ｃに、固定代１３としての側壁部１１Ａ，１１Ｃを有している。従って、固定代１３である側壁部１１Ａ，１１Ｃの内周面と、フレーム部５１の縁部５１Ａ，５１Ｃとの間に粘着テープＴＰを配置し、当該粘着テープＴＰを介して側壁部１１Ａ，１１Ｃをフレーム部５１の縁部５１Ａ，５１Ｃに固定する。なお、固定手段として粘着テープＴＰを用いたが、特に限定されず、例えば接着剤やネジ等を用いてもよい。このように互いに隣接する一対の辺部１０Ａ，１０Ｃを、換気部５０のフレーム部５１の互いに隣接する一対の縁部５１Ａ，５１Ｃに接合させることで、ベース部材２の大きさが換気部５０より大きい場合であっても、フィルタ装置１を取り付けることが可能となる。従って、フレーム部５１の各辺の長さがが少なくともベース部材２の内周側の各辺よりも小さい換気部５０であれば、あらゆるものにフィルタ装置１を取り付けることができる。
【００２６】
また、互いに隣接する辺部として、辺部１０Ａ，１０Ｃを用いたが、辺部１０Ａ，１０Ｄを縁部５１Ａ，５１Ｄに固定してもよく、辺部１０Ｄ，１０Ｂを縁部５１Ｄ，５１Ｂに固定してもよく、辺部１０Ｂ，１０Ｃを縁部５１Ｂ，５１Ｃに固定してもよい。また、換気部５０に対して固定する辺部は、一対に限られず、三方の辺部を用いてもよく、四方の辺部を全て用いてもよい。なお、上述の実施形態では、フィルタ装置のベース部材は換気部のフレーム部の縁部に固定されていたが、フレーム部の正面に固定してもよい。
【００２７】
次に、本実施形態に係るフィルタ装置１の作用・効果について説明する。
【００２８】
まず、壁面Ｗに設けられる換気部として、様々な大きさのものが用いられているため、換気部の大きさによっては、フィルタ装置を取り付けることができず、使用範囲が限定されるという問題があった。一方、あらゆる大きさの換気部に対応できるようにフィルタ装置のサイズバリエーションを準備することは、製造コスト等の観点から合理的ではない。また、換気部の大きさに関わらず取付可能な方法として、フィルタのみ換気部に取り付ける方法があるが、使用者にとって手間になるという問題がある。あるいは、あらゆる大きさの換気部に対応できるようにサイズの大きなフィルタ装置を準備することが考えられるが、意匠的な観点や取り扱い上の観点において問題がある。
【００２９】
これに対して、本実施形態に係るフィルタ装置１は、ベース部材２が換気部５０側に固定されて、当該ベース部材２と連結されることによってカバー部材３で換気部５０を覆うことができる。このようなフィルタ装置１において、調節機構４は、ベース部材２に対する、カバー部材３の厚さ方向Ｄ３における位置を複数段階に調節可能である。従って、換気部５０の大きさに合わせ、調節機構４によってカバー部材３の位置を調節することができる。これによって、換気部５０の大きさに関わらずフィルタ装置１を取り付けることができる。
【００３０】
例えば、大きいサイズの換気部５０に合わせて十分な厚さを確保したフィルタ装置を製造した場合、当該フィルタ装置を小さいサイズの換気部５０に用いると、必要以上に壁面Ｗから厚さ方向Ｄ３に迫り出した状態となり、意匠的にも取り扱い上においても問題がある。一方、薄いフィルタ装置を製造した場合は、厚さ方向Ｄ３に大きい換気部５０に適用する場合は、プッシュ式の換気部５０において蓋部５２を突出させて使用する際に、フィルタ装置を取り付けることができないという問題がある。しかしながら、本実施形態に係るフィルタ装置１では、小さいサイズの換気部５０に用いる場合は、調節機構４による調節を行い、図２に示すように薄くすることで必要以上に壁面Ｗから出っ張らない状態とすることができる。また、大きいサイズのフィルタ装置１に適用する場合や、蓋部５２を突出させて使用する場合は、図３に示すように厚くすることで、フィルタ装置１の取り付けが可能となる。
【００３１】
また、本実施形態に係るフィルタ装置１において、ベース部材２は、幅方向Ｄ１（水平方向）において互いに対向する一対の側壁部１１Ａ，１１Ｂを備えている。また、調節機構４は、カバー部材３の他方に形成され、側壁部１１Ａ，１１Ｂへ向かってそれぞれ突出する一対の突出部３１Ａ，３１Ｂ，３２Ａ，３２Ｂと、それぞれの側壁部１１Ａ，１１Ｂに形成され、突出部３１Ａ，３１Ｂ，３２Ａ，３２Ｂを受容する一対の受容部３３Ａ，３３Ｂ，３４Ａ，３４Ｂと、受容部３３Ａ，３３Ｂ，３４Ａ，３４Ｂにおいて厚さ方向Ｄ３の複数箇所に形成され、当該受容部３３Ａ，３３Ｂ，３４Ａ，３４Ｂにおける突出部３１Ａ，３１Ｂ，３２Ａ，３２Ｂの厚さ方向Ｄ３への移動を規制する規制部３６と、を備えている。このような構成により、調節機構４を突出部３１Ａ，３１Ｂ，３２Ａ，３２Ｂと受容部３３Ａ，３３Ｂ，３４Ａ，３４Ｂによるシンプルな構造とすることができる。また、規制部３６によって突出部３１Ａ，３１Ｂ，３２Ａ，３２Ｂの厚さ方向Ｄ３への移動を規制することで、カバー部材３の位置を複数段階に調節することができる。
【００３２】
また、本実施形態に係るフィルタ装置１において、規制部３６は、受容部３３Ａ，３３Ｂ，３４Ａ，３４Ｂに形成された溝部３８である。このように規制部３６を溝部３８で構成することで、当該溝部３８に突出部３１Ａ，３１Ｂ，３２Ａ，３２Ｂを収容することによって移動を規制することができる。このような構成によれば、前方及び後方の両方への移動を規制することができるため、カバー部材３の安定性を向上することができる。
【００３３】
また、本実施形態に係るフィルタ装置１において、ベース部材２は、矩形状に構成されて四方の辺部１０Ａ，１０Ｂ，１０Ｃ，１０Ｄを備えている。また、四方の辺部１０Ａ，１０Ｂ，１０Ｃ，１０Ｄのうち、少なくとも互いに隣接する一対の辺部１０Ａ，１０Ｃには、換気部５０に固定するための固定代１３がそれぞれ形成されている。これによって、矩形状の換気部５０のフレーム部５１の互いに隣接する二辺にベース部材２を固定することが可能となる。このように、ベース部材２とフレーム部５１の各辺のうち、互いに隣り合う辺同士を固定することによって、ベース部材２の辺の長さとフレーム部５１の辺の長さが対応していない場合であっても、固定可能となる。
【００３４】
本発明は、上述の実施形態に限定されるものではない。
【００３５】
調節機構は、上述の実施形態に限定されるものではなく、ベース部材２のカバー部材３の厚さ方向Ｄ３の位置を調節可能である限り、あらゆる構成を採用してもよい。例えば、図８（ａ），（ｂ）に示すような調節機構６４を採用してよい。調節機構６４は、カバー部材３の側壁部２２Ｂからベース部材２へ向かって突出する突出部６３と、ベース部材２の側壁部１１Ｂに形成されて突出部６３を受容する受容部６１と、を備えている。なお、側壁部１１Ａ，２２Ａ側にも、同趣旨の突出部６３及び受容部６１が形成されている。突出部６３は、断面Ｌ字状の板状の形状をなして、全体として見たときにベース部材２の側壁部１１Ｂ側へ突出している。突出部６３は、側壁部２２Ｂから幅方向Ｄ１における内側へ延びる片部６３Ａと、片部６３Ａの先端から下方へ延びる片部６３Ｂと、を備えている。受容部６１は、断面Ｌ字状の板状の形状をなしており、側壁部１１Ｂから幅方向Ｄ１における外側へ延びる片部６１Ａと、片部６１Ａの先端から上方へ延びる片部６１Ｂと、を備えている。このような調節機構６４では、突出部６３は、受容部６１の片部６１Ｂと側壁部１１Ｂとの間の空間に片部６３Ｂを配置させることで、受容部６１と係合する。これによって、受容部６１は、カバー部材３を支持することができる。また、受容部６１の片部６１Ａの上面には、突起によって構成される規制部６２が厚さ方向Ｄ３の複数カ所（ここでは２カ所）に形成される（図８（ｂ）参照）。受容部６１が、片部６１Ａの上面で突出部６３の片部６３Ｂの下端部を支持する場合、突出部６３の片部６３Ｂの厚さ方向Ｄ３への移動は規制部６２によって規制される。図８（ｂ）に示す例では、突出部６３の片部６３Ｂは、一対の規制部６２同士の間に配置される。なお、受容部６１が、片部６１Ｂの上端部で突出部６３の片部６３Ａの下面を支持してもよい。また、規制部６２は、受容部６１の片部６１Ｂの内側面や上端部に形成してもよい。
【００３６】
また、上述の実施形態では、ベース部材２に受容部を形成し、カバー部材３に突出部を形成していたが、ベース部材２に突出部を形成し、カバー部材３に受容部を形成してもよい。例えば、図８（ｃ）に示す調節機構７４では、カバー部材３の側壁部２２Ａに受容部７１を形成し、ベース部材２の側壁部１１Ａに突出部７３を形成している。なお、ここでの受容部７１は、図６に示す受容部３３Ｂを上下逆にしたような構成を有している。このような構造では、ベース部材２の突出部７３が受容部７１を介してカバー部材３を支持する。また、受容部７１に対する突出部７３の厚さ方向Ｄ３への相対的な移動は、規制部７２によって規制される。
【００３７】
また、図８（ｄ）に示すような調節機構８４を採用してもよい。図８（ｄ）は、調節機構８４を上方から見た図である。調節機構８４は、ベース部材２の側壁部１１Ａへ突出すると共に圧縮力により伸縮可能な突出部８１と、突出部８１を受容する受容部８２と、を備えている。なお、側壁部１１Ｂ，２２Ｂ側にも、同趣旨の突出部８１及び受容部８２が形成されている。突出部８１は、カバー部材３の側壁部２２Ａに形成されており、圧縮力が作用することによって弾性力等の作用により縮むことができる。一方、受容部８２は、ベース部材２の側壁部１１Ａの側面に溝部（貫通孔でもよい）を厚さ方向Ｄ３の複数カ所に形成することによって構成されている。なお、受容部８２を構成する溝部は、同時に規制部としても機能する。このような調節機構８４では、突出部８１が受容部８２以外の位置にあるときは、突出部８１は側壁部１１Ａの側面と当接することで圧縮力が作用して縮められる。これによってベース部材２に対してカバー部材３を厚さ方向Ｄ３に移動させることが可能となる。一方、突出部８１が受容部８２の位置へ至ると、圧縮力が解除されて突出部８１は受容部８２内へ向かって伸びる。これによって、カバー部材３は受容部８２で支持されると共に、突出部８１の厚さ方向Ｄ３への移動が規制される。なお、ベース部材２に突出部８１を形成し、カバー部材３に受容部８２を形成してもよい。
【００３８】
また、上述の実施形態では、調節機構がベース部材の四隅に形成されていたが、調節機構を設ける場所、数量は特に限定されない。例えば、上側の受容部及び下側の受容部の何れかを省略してよい。また、上下方向の中央位置付近に受容部を設けてもよい。また、全ての受容部に規制部が形成されている必要はなく、例えば、上側の受容部と下側の受容部のうち、一方のみに規制部が設けられており、他方は突出部と当接する単なる平面であってもよい。
【００３９】
また、ベース部材及びカバー部材の構造は、本発明の趣旨の範囲内である限り、適宜変更してもよい。例えば、ベース部材２の各側壁部１１Ａ，１１Ｂ，１１Ｃ，１１Ｄの前縁部１１ｂの先端面が露出しているような構成となっているが、前縁部１１ｂにフランジ部が形成されていてもよい。また、換気部の形状として矩形状のものを例示しており、それに合わせてフィルタ装置も矩形状に構成されていたが、換気部の形状及びそれに対応するフィルタ装置の形状も特に限定されない。例えば、換気部が円形であってもよく、それに合わせてフィルタ装置も円形であってよい。
【符号の説明】
【００４０】
１…フィルタ装置、２…ベース部材、３…カバー部材、４，６４，７４，８４…調節機構、１０Ａ，１０Ｂ，１０Ｃ，１０Ｄ…辺部、１１Ａ，１１Ｂ，１１Ｃ，１１Ｄ…側壁部、２２Ａ，２２Ｂ，２２Ｃ，２２Ｄ…側壁部、３１Ａ，３１Ｂ，３２Ａ，３２Ｂ，６３，７３，８１…突出部、３３Ａ，３３Ｂ，３４Ａ，３４Ｂ，６１,７１，８２…受容部、３６，６２，７２…規制部、３８…溝部、５０…換気部。
【図１】
2015083904.tif 000003
【図２】
2015083904.tif 000004
【図３】
2015083904.tif 000005
【図４】
2015083904.tif 000006
【図５】
2015083904.tif 000007
【図６】
2015083904.tif 000008
【図７】
2015083904.tif 000009
【図８】
2015083904.tif 000010